(57)【要約】【課題】演出ボタン装置からの叩打による振動が遊技盤に伝播することを抑制し得るパチンコ遊技機を提供する。【解決手段】遊技機本体の一部を成し、かつ演出ボタン装置１３を保持する演出ボタン保持部５３を、遊技機本体のその他の部分と別体として形成し、該演出ボタン保持部５３を遊技島に強固に固定される外枠２に取付けた。これにより、演出ボタン装置１３を保持する演出ボタン保持部５３が、遊技機本体のその他の部分と実質的に分離され、演出ボタン装置１３の操作ボタン１４を強く叩くことにより発生する振動が遊技機本体の遊技盤に伝播することを抑制できる。【選択図】図４
2011167366.tif 000002
【特許請求の範囲】
【請求項１】
遊技島に強固に固定される矩形状の外枠と、該外枠に一側縁がヒンジを介して回動可能に枢結されて外枠の開口部を前面から覆うようにして開閉可能に取付けられる遊技機本体とを備え、該遊技機本体の前部に遊技の進行状況に応じて発光して遊技者に押圧操作を促す演出ボタン装置が設けられたパチンコ遊技機において、
遊技機本体の一部を成し、かつ演出ボタン装置を保持する演出ボタン保持部が、遊技機本体のその他の部分と別体として形成され、該演出ボタン保持部が外枠に取付けられていることを特徴とするパチンコ遊技機。
【請求項２】
外枠に対して演出ボタン保持部が振動吸収部材を介して取付けられていることを特徴とする請求項１記載のパチンコ遊技機。
【請求項３】
演出ボタン保持部が、遊技機本体を構成する本体パネルに設けられる下受皿の一部を成すものであることを特徴とする請求項１又は請求項２に記載のパチンコ遊技機。
【請求項４】
本体パネルの、ヒンジ側に位置する端部に、下受皿の一部を成す演出ボタン保持部が設けられ、該演出ボタン保持部の側面が外枠の縦杆の内側面に取付けられていることを特徴とする請求項３記載のパチンコ遊技機。
【請求項５】
遊技機本体のその他の部分に対向する演出ボタン保持部の側面が、ヒンジを中心とする円弧状の湾曲面として形成されていることを特徴とする請求項４記載のパチンコ遊技機。
【発明の詳細な説明】
【技術分野】
【０００１】
本発明は、遊技機本体の前部に演出ボタン装置を備えたパチンコ遊技機に関する。
【背景技術】
【０００２】
パチンコ遊技機には、その遊技盤の前面側に、所謂特別図柄を変動表示する図柄表示装置が配設されている。この図柄表示装置は、液晶表示器からなるものが一般的であり、前記特別図柄の変動表示の他にも、興趣性を向上するために様々な演出画像が表示される。近年、この演出画像による演出に遊技者を参加させるように構成したパチンコ遊技機が提案されている（例えば、特許文献１参照）。
【０００３】
これは、遊技機本体の前部に遊技者が押圧操作可能な操作ボタンを備えた演出ボタン装置を配設し、この操作ボタンを遊技者が押圧操作することを契機として、演出画像を変化させるようにしたものであり、遊技の進行状況に応じて図柄表示装置に所定の演出画像が表示されると、これに同期して演出ボタン装置内の光源が点灯されることにより、その光が操作ボタンに背面側から照射されて操作ボタンが光輝し、これによって遊技者に押圧操作を促すようになっている。
【先行技術文献】
【特許文献】
【０００４】
【特許文献１】特開２００７−３０７１６３号公報
【発明の概要】
【発明が解決しようとする課題】
【０００５】
ところで、パチンコ遊技機にあっては、遊技中に遊技機本体を強く叩くと遊技機本体内の遊技盤にその振動が伝播して遊技球の流下方向が変わってしまうことがある。ところが、演出ボタン装置を備えたパチンコ遊技機では、遊技者が操作ボタンを押圧操作することが認められているため、故意に操作ボタンを強く叩くことによって、遊技球の流下方向を変えるという不正行為が行われ易い問題点があった。
【０００６】
本発明は、かかる従来の問題点を解消するためになされたものであり、演出ボタン装置からの叩打による振動が遊技盤に伝播することを抑制し得るパチンコ遊技機を提供することを目的とするものである。
【課題を解決するための手段】
【０００７】
本発明は、遊技島に強固に固定される矩形状の外枠と、該外枠に一側縁がヒンジを介して回動可能に枢結されて外枠の開口部を前面から覆うようにして開閉可能に取付けられる遊技機本体とを備え、該遊技機本体の前部に遊技の進行状況に応じて発光して遊技者に押圧操作を促す演出ボタン装置が設けられたパチンコ遊技機において、遊技機本体の一部を成し、かつ演出ボタン装置を保持する演出ボタン保持部が、遊技機本体のその他の部分と別体として形成され、該演出ボタン保持部が外枠に取付けられていることを特徴とするパチンコ遊技機である。
【０００８】
前記パチンコ遊技機にあって、外枠に対して演出ボタン保持部が振動吸収部材を介して取付けられている構成が提案される。
【０００９】
また、演出ボタン保持部が、遊技機本体を構成する本体パネルに設けられる下受皿の一部を成すものである構成が提案される。
【００１０】
また、本体パネルの、ヒンジ側に位置する端部に、下受皿の一部を成す演出ボタン保持部が設けられ、該演出ボタン保持部の側面が外枠の縦杆の内側面に取付けられている構成が提案される。
【００１１】
さらに、遊技機本体のその他の部分に対向する演出ボタン保持部の側面が、ヒンジを中心とする円弧状の湾曲面として形成されている構成が提案される。
【発明の効果】
【００１２】
本発明によれば、遊技島に強固に固定される外枠に、遊技機本体のその他の部分と別体として形成した演出ボタン保持部を取付けたので、演出ボタン保持部は、遊技機本体のその他の部分と実質的に分離した状態となる。そのため、遊技者が演出ボタン装置の操作ボタンを強く叩くことにより発生する振動が遊技機本体の遊技盤に伝播することを抑制でき、故意に操作ボタンを強く叩くことによって、遊技球の流下方向を変えるという不正行為を防止することができる。
【００１３】
また、外枠に対して演出ボタン保持部が振動吸収部材を介して取付けられている構成にあっては、遊技者が演出ボタン装置の操作ボタンを強く叩くことにより発生する振動を、振動吸収部材によって緩和することができ、遊技機本体の遊技盤に伝播する振動をより一層抑制することができる。
【００１４】
また、演出ボタン保持部が、遊技機本体を構成する本体パネルに設けられる下受皿の一部を成すものである構成にあっては、遊技機本体前部の見かけ上の形状を何らに変更することなく、演出ボタン保持部を設けることができる。
【００１５】
また、本体パネルの、ヒンジ側に位置する端部に、下受皿の一部を成す演出ボタン保持部が設けられ、該演出ボタン保持部の側面が外枠の縦杆の内側面に取付けられている構成にあっては、演出ボタン保持部を容易かつ確実に外枠に取付けることができる。
【００１６】
さらに、遊技機本体のその他の部分に対向する演出ボタン保持部の側面が、ヒンジを中心とする円弧状の湾曲面として形成されている構成にあっては、遊技機本体のその他の部分の開閉時に、演出ボタン保持部との衝当が回避され、遊技機本体のその他の部分をヒンジを中心として円滑に回動させることができる。
【図面の簡単な説明】
【００１７】
【図１】第一実施例にかかるパチンコ遊技機１の斜視図である。
【図２】同上のパチンコ遊技機１の正面図である。
【図３】遊技盤１５の正面図である。
【図４】演出ボタン保持部５３が取付けられた外枠２の正面図である。
【図５】外枠２に対する演出ボタン保持部５３の取付け状態を示す要部の横断面図である。
【図６】（Ａ）は演出ボタン保持部５３が取付けられた外枠２の横断面図、（Ｂ）は演出ボタン保持部５３の側面に形成された湾曲面５７の作用説明図である。
【図７】演出ボタン装置１３の分解斜視図である。
【図８】（Ａ）は演出ボタン装置１３の縦断面図、（Ｂ）は操作ボタン１４が後退した状態を示す演出ボタン装置１３の作用説明図である。
【図９】（Ａ）は演出ボタン装置１３の側断面図、（Ｂ）は演出ボタン装置１３の横断面図である。
【図１０】第二実施例にかかる演出ボタン保持部５３の取付け状態を示す要部の横断面図である。
【発明を実施するための形態】
【００１８】
以下に、本発明にかかるパチンコ遊技機の第一実施例を、図１〜図９に基づいて説明する。
パチンコ遊技機１は、図１に示すように、遊技島（図示省略）に固定される縦長矩形状の外枠２と、該外枠２の開口部を前面から覆うように取付けられた遊技機本体３とからなる。ここで、パチンコ遊技機１は、遊技店関係者以外の者が遊技島から容易に取り外すことができないように、外枠２を遊技島に強固に固定することにより設置される。
【００１９】
遊技機本体３は、遊技盤１５（図３参照）が取付けられる本体パネル９と、該本体パネル９の前面側に配設された前面扉４とを備えており、本体パネル９は外枠２の左側縁に上下のヒンジ５ａ，５ｂ（図２参照）を介して片開き可能に枢結されている。また、前面扉４は本体パネル９の左側縁に上下のヒンジ５ａ，５ｃ（図２参照）を介して片開き可能に枢結されている。前面扉４は、その中央上部寄り位置に形成された略円形の開口部を遮蔽する透明板６を備えており、該透明板６を介して遊技盤１５（図３参照）の遊技領域１７が透視可能となっている。
【００２０】
前面扉４の前面下部には、図示しない発射装置に供給される遊技球を貯留する上受皿７が設けられている。該上受皿７内の左端奥部には、賞球や貸球が払い出される球払出口８が開口されている。また、上受皿７の右側内部には、遊技球を整列する整列部（図示省略）が形成され、該整列部の右端に遊技球を発射装置へ供給するための球供給口（図示省略）が開口されている。
【００２１】
上受皿７の下部に位置する本体パネル９の前面下部中央には下受皿１０が設けられている。下受皿１０の内部には球放出口１１が開口されており、上受皿７が満杯の場合にオーバーフローした遊技球が遊技機本体３内の球流路（図示省略）を流下して球放出口１１から下受皿１０内に放出される。また、下受皿１０の右側には発射ハンドル１２が突設されており、下受皿１０の左側には演出ボタン装置１３を保持する演出ボタン保持部５３が配設されている。この演出ボタン保持部５３は本発明の要部にかかるものであり、詳しくは後述する。
【００２２】
前記遊技盤１５には、図３に示すように、その前面側に略円形の誘導レール１６で囲繞された遊技領域１７が設けられており、該遊技領域１７の略中央にセンターケース１８が配設されている。このセンターケース１８には、液晶表示器からなる図柄表示装置１９が組み付けられており、該図柄表示装置１９の表示画面２０には、三つの特別図柄Ａ，Ｂ，Ｃと二つの普通図柄Ｅ1 ，Ｅ2 が変動表示されるとともに、様々な演出画像（図示省略）が表示される。そして、演出ボタン装置１３の操作ボタン１４（図１参照）を遊技者が押圧操作することを契機として、該演出画像が変化するようになっている。
【００２３】
センターケース１８の中央下部には、４個の発光ダイオードからなる特別図柄始動記憶数表示装置２１が配設されている。この特別図柄始動記憶数表示装置２１は、後述する特別図柄始動スイッチからの遊技球検知信号が、所定数を上限としてパチンコ遊技機１が具備する主制御基板（図示省略）の記憶装置ＲＡＭの一部領域に記憶された場合に、その特別図柄始動記憶数を発光ダイオードの点灯数によって表示する。また、センターケース１８の左下部には、４個の発光ダイオードからなる普通図柄始動記憶数表示装置２２が配設されており、後述する普通図柄始動スイッチからの遊技球検知信号が、所定数を上限として主制御基板の記憶装置ＲＡＭの一部領域に記憶された場合に、その普通図柄始動記憶数を発光ダイオードの点灯数によって表示する。尚、特別図柄始動記憶数と普通図柄始動記憶数は、夫々４個が上限数として設定されている。
【００２４】
一方、センターケース１８の左右側方には、普通図柄始動ゲート（普通図柄始動領域）２３，２３が配設されており、遊技球の通過により、各普通図柄始動ゲート２３が具備する普通図柄始動スイッチ（図示省略）から遊技球検知信号が発生すると、前記表示画面２０の普通図柄Ｅ1 ，Ｅ2 が変動し、所定時間経過後に停止して種々の組み合わせの図柄態様が表示される。
【００２５】
センターケース１８の下方には、内部を特別図柄始動領域２５とするとともに、可動翼片２６，２６により入賞口を兼ねた入り口の開口度を変化させるようにした普通電動役物２４が配設されている。そして前記普通図柄Ｅ1 ，Ｅ2 の表示結果が所定の当り図柄態様の場合には、可動翼片２６，２６が所定時間（例えば約 0.2秒間）拡開されて、特別図柄始動領域２５に遊技球が入り易い状態となる。この特別図柄始動領域２５は、前記図柄表示装置１９の特別図柄Ａ，Ｂ，Ｃを変動させる契機となる入賞口となっており、その内部に配設された特別図柄始動スイッチ（図示省略）による遊技球の入賞検知に伴って、前記図柄表示装置１９の表示画面２０に特別図柄Ａ，Ｂ，Ｃを変動表示する図柄生成行程が実行されることとなる。また、特別図柄Ａ，Ｂ，Ｃの変動中にあっては、特別図柄始動スイッチからの遊技球検知信号数が特別図柄始動記憶数として主制御基板の記憶装置ＲＡＭの一部領域に記憶され、当該変動が終了すると、その特別図柄始動記憶数に基づいて特別図柄Ａ，Ｂ，Ｃの変動が再び開始される。
【００２６】
前記普通電動役物２４の下方には、可変入賞装置２７が配設されている。該可変入賞装置２７は、横長矩形状の大入賞口２８と、該大入賞口２８を開閉する横長矩形状の開閉板２９とを備えており、該開閉板２９が駆動機構によって、前方に傾倒して大入賞口２８を開放する開放位置と、この開放位置から後方に起立して大入賞口２８を閉鎖する閉鎖位置とに開閉制御されるようになっている。尚、開閉板２９の駆動機構は、公知のものが適用され得る。
【００２７】
そして、前記図柄表示装置１９の表示画面２０に変動表示される特別図柄Ａ，Ｂ，Ｃが、所定の組み合わせの当り図柄態様で確定表示された場合に大当たりとしての特別遊技作動が実行される。この特別遊技作動は、開閉板２９が前方に傾倒して開き、その開放状態で開閉板２９の上面の案内作用を介して、大入賞口２８内へ遊技球を案内するとともに、所定開放時間（例えば３０秒間）の満了、またはその所定開放時間中における所定個数（例えば９個）の遊技球の入賞により開閉板２９が起立して大入賞口２８が閉鎖される開閉ラウンドを、所定制限回数（例えば１４回）繰り返すものであって、この特別遊技作動の実行によって多量の遊技球が入賞し、遊技者に所定の利益が供与される。
【００２８】
その他、遊技領域１７には、複数の一般入賞口３０が配設されており、その内部に設けられた一般入賞スイッチ（図示省略）による遊技球の入賞検知に伴って所定数の賞球が払い出される。尚、遊技領域１７には多数の遊技釘（図示省略）が所定形態で配設されており、該遊技釘によって遊技球の流下方向に変化を生じさせるようになっている。
【００２９】
次に、本発明の要部にかかる演出ボタン保持部５３について説明する。
演出ボタン保持部５３は、遊技機本体３のその他の部分と別体に形成されており、遊技機本体３を構成する本体パネル９に設けられる下受皿１０（図１参照）の一部を成している。このように、演出ボタン保持部５３を下受皿１０の一部とすることによって、遊技機本体３の前部の見かけ上の形状を何らに変更することなく、演出ボタン保持部５３を設けることができるようにしている。また、演出ボタン保持部５３は、ヒンジ５ａ，５ｂ（図２参照）を介して外枠２に枢結された本体パネル９の、そのヒンジ５ａ，５ｂ側の端部に設けられており、該演出ボタン保持部５３の側面が、図４に示すように、外枠２の左側の縦杆２ａの内側面に取付けられている。即ち、該演出ボタン保持部５３は、図５に示すように、ヒンジ５ａ，５ｂ側の側壁５５が複数のビス５６によって縦杆２ａの内側面に固定されている。また、遊技機本体３のその他の部分に対向する演出ボタン保持部５３の側面は、図６（Ａ）に示すように、ヒンジ５ａの枢支軸６１を中心とする円弧状の湾曲面５７として形成されており、これによって遊技機本体３のその他の部分の開閉時に、図６（Ｂ）に示すように、演出ボタン保持部５３に衝当することなく、遊技機本体３のその他の部分をヒンジ５ａの枢支軸６１を中心として円滑に回動させることができるようになっている。
【００３０】
上述したように下受皿１０の一部を成す演出ボタン保持部５３には、下受皿１０の左側に位置させて、操作ボタン１４を備えた演出ボタン装置１３が配設されている。このように操作ボタン１４を遊技機本体３の前面側に露出させて設けることによって、遊技者によるボタン操作が可能となっている。
【００３１】
演出ボタン装置１３は、図７〜図９に示すように、断面略三角筒形を呈する外郭筒部３４と、該外郭筒部３４の下部に固定されてその下部開口を塞ぐ底板部３５とからなる内空状のケース筐体３３を備えており、該ケース筐体３３が演出ボタン保持部５３に形成された取付孔３７（図８参照）に上方から装入された状態で取付孔３７の下壁部３８にビス３９で固定されている。ケース筐体３３の内部には、後述する操作ボタン１４の表示板部４９の裏面に光を照射する発光ダイオードからなる光源４０が複数配設されている。該光源４０は、前記底板部３５から上方に突設されたプリント回路板４１の先端部に実装されている。また、該プリント回路板４１には、操作ボタン１４の押圧操作を検知するフォトセンサーからなる押圧検知センサー４２が実装されており、該押圧検知センサー４２及び前記光源４０と、その他の抵抗等の所要電子部品（図示省略）とがプリント配線により電気的に接続されて所定の基板モジュールが構成されている。このプリント回路板４１には、コネクタ４３を介して複数の導電線からなるリード線群４４が接続されており、該リード線群４４によって光源４０及び押圧検知センサー４２への作動電流の供給や押圧検知センサー４２が送出する押圧検知信号が導出される。また、前記光源４０は、図示しないマイクロコンピュータからなる遊技制御手段によって発光制御され、上述した図柄表示装置１９の表示画面２０に所定の演出画像が表示されると、これに同期して発光し、操作ボタン１４の表示板部４９を光輝させて、遊技者に操作ボタン１４の押圧操作を促すようになっている。
【００３２】
前記底板部３５にはバネ受け座４５が上方に向けて設けられており、該バネ受け座４５には圧縮により弾発力を生じるコイルスプリングからなる圧縮バネ４６の一端が座定されている。また、ケース筐体３３の内部には、外郭筒部３４内を上下方向に摺動可能な摺動部材４７が配設されている。該摺動部材４７は、３個の円筒部３６ａと、これらを連結する連結杆部３６ｂとによって略三角枠状に形成されており、その上部に設けられた天板部３６ｃの下面に前記圧縮バネ４６の他端が当接されている。これにより、摺動部材４７は圧縮バネ４６の弾発力によって上方向に付勢されている。
【００３３】
ケース筐体３３の上部には、外郭筒部３４内を上下方向に進退可能な操作ボタン１４が配設されている。該操作ボタン１４は、上部に略三角形状を呈する透光性材質からなる表示板部４９を備えており、該表示板部４９にはボタン操作を促す図柄が表示されている。そして、前記光源４０の発光によって表示板部４９がバックライティングされて光輝すると図柄が明瞭に視認され得るようになっている。表示板部４９の周縁には三角筒状の側壁板部５０が下方に延成されており、該側壁板部５０には、周方向で対向する位置に外方に突出する一対の係合爪５１，５１（図９（Ａ）参照）を下端に備えた弾性舌片部５４，５４が設けられている。該弾性舌片部５４，５４の係合爪５１，５１は、外郭筒部３４に形成された作動口５２，５２内を上下方向に移動可能であり、かつ該作動口５２，５２の上部口縁に係合可能となっている。操作ボタン１４は、側壁板部５０の下端部が前記摺動部材４７の周縁上面に当接する状態で外郭筒部３４内に収納されており、前記圧縮バネ４６の弾発力によって上方向に付勢される摺動部材４７を介して常時背面側から上方向に付勢されている。そして、このように背面側からの付勢によって側壁板部５０の係合爪５１，５１が外郭筒部３４の作動口５２，５２の上部口縁に係合されることによって、操作ボタン１４がケース筐体３３の上部開口端から若干突出する進出位置に保持されるようになっている。
【００３４】
また、前記摺動部材４７には、前記押圧検知センサー４２を構成するフォトセンサーに上下方向で一致する位置に遮光片部４８が設けられており、操作ボタン１４の押圧操作に伴って摺動部材４７が後退すると、図８（Ｂ）に示すように、遮光片部４８がフォトセンサーの発光部と受光部間に設けられたスリット４２ａ内に進入し、該発光部と受光部間の光の通過を遮断することにより、押圧検知センサー４２から押圧検知信号が送出されるようになっている。そして、この押圧検知信号に基づいて図示しない遊技制御手段が表示画面２０の演出画像を変化させるようになっている。
【００３５】
かかる構成にあって、遊技の進行状況に応じて演出ボタン装置１３内の光源４０が点灯すると、操作ボタン１４の表示板部４９が光輝して遊技者に押圧操作を促すのであるが、この時、遊技者が操作ボタン１４を強く叩いたり、或いは表示板部４９の非光輝時において操作ボタン１４を故意に強く叩いて、遊技球の流下方向を変えようとしても、演出ボタン装置１３を保持する演出ボタン保持部５３は、遊技機本体３のその他の部分と別体として形成されており、該演出ボタン保持部５３が遊技島に強固に固定された外枠２に取付けられているため、遊技者が演出ボタン装置１３の操作ボタン１４を強く叩くことにより発生する振動が遊技機本体３の遊技盤１５に伝播することを抑制できる。これにより、故意に操作ボタン１４を強く叩くことによって、遊技球の流下方向を変えようとする不正行為を防止することができる。
【００３６】
図１０は、第二実施例を示し、この第二実施例は、演出ボタン保持部５３を外枠２に振動吸収部材５８を介して取付けたものである。ここで、振動吸収部材５８はブロック状のゴムからなる弾性体が用いられており、その対向する両側面に複数の螺子孔部材５９が埋設されている。そして、一側面の螺子孔部材５９に螺合されたビス６０によって振動吸収部材５８の一側面が演出ボタン保持部５３の側壁５５に固定されており、他側面の螺子孔部材５９に螺合されたビス５６によって振動吸収部材５８の他側面が縦杆２ａの内側面に固定されている。
【００３７】
かかる構成にあっては、遊技者が演出ボタン装置１３の操作ボタン１４を強く叩くことにより発生する振動を、振動吸収部材５８によって緩和することができ、遊技機本体３の遊技盤１５に伝播する振動をより一層抑制することができる。
【００３８】
尚、この第二実施例では、ブロック状のゴムからなる弾性体を振動吸収部材５８とした構成について説明したが、振動吸収部材５８としては、バネを用いることも可能である。
【符号の説明】
【００３９】
１  パチンコ遊技機
２  外枠
２ａ  縦杆
３  遊技機本体
５ａ，５ｂ，５ｃ  ヒンジ
９  本体パネル
１０  下受皿
１３  演出ボタン装置
５３  演出ボタン保持部
５７  湾曲面
５８  振動吸収部材
【図１】
2011167366.tif 000003
【図２】
2011167366.tif 000004
【図３】
2011167366.tif 000005
【図４】
2011167366.tif 000006
【図５】
2011167366.tif 000007
【図６】
2011167366.tif 000008
【図７】
2011167366.tif 000009
【図８】
2011167366.tif 000010
【図９】
2011167366.tif 000011
【図１０】
2011167366.tif 000012